(57)【要約】【課題】サンバイザの回転軸中のハーネスの断線がチューブ無しに可能なることにより安価なサンバイザを提供する。【解決手段】遮光性を有すると共に電機部品２を保持したサンバイザ本体３と、該サンバイザ本体３を回転自在に軸支してなる回転軸１６と、該回転軸１６を車体５に支持してなるベース部６と、電源に接続されてなるコネクタ７と、前記回転軸１６の中空部１６ａを介して前記コネクタ７及び前記電機部品２を電気的に接続してなるハーネス８とより少なくとも構成されてなり、前記回転軸１６の開口部１７のこば面１７ａを曲面状Ｒに形成してなる。【選択図】        図１
2004284456.tif 000002
【特許請求の範囲】
【請求項１】
遮光性を有すると共に電機部品を保持したサンバイザ本体と、該サンバイザ本体を回転自在に軸支してなる回転軸と、該回転軸を車体に支持してなるベース部と、電源に接続されてなるコネクタと、前記回転軸の中空部を介して前記コネクタ及び前記電機部品を電気的に接続してなるハーネスとより少なくとも構成されてなるサンバイザにおいて、
前記回転軸の開口部のこば面を曲面状に形成してなることを特徴とするサンバイザ。
【請求項２】
請求項１に記載のサンバイザであって、
前記回転軸の開口部のこば面以外に、成形型の分割部を有することを特徴とするサンバイザ。
【発明の詳細な説明】
【０００１】
【発明の属する技術分野】
この発明は、自動車、航空機、鉄道、船舶など乗り物の運転手の視界を確保するサンバイザに関する。
【０００２】
【従来の技術】
従来のサンバイザは、図５に示すように、サンバイザ１が、遮光性を有すると共に電機部品である照明装置２を保持したサンバイザ本体３と、該サンバイザ本体３を回転自在に軸支してなる回転軸４と、該回転軸４を車体５に図示しないビスなどで支持してなるベース部６と、図示しない電源に接続されてなるコネクタ７と、前記回転軸４の中空部４ａを介して前記コネクタ７及び前記照明装置２を電気的に接続してなるハーネス８とより少なくとも構成されてなる（例えば、特許文献１参照。）。符号９は前記照明装置２により照らされる鏡面、同１０は該鏡面９を開閉する蓋である。
【０００３】
【特許文献１】
実開昭５７−１５１１１５号公報
【０００４】
【発明が解決しようとする課題】
しかしながら、このような従来のサンバイザにあっては、回転軸４の先端部４ｂが、成形型の型抜き上、エッジになっており、サンバイザ本体３の回転に伴って回転されるハーネス８が、該先端部４ｂでこすれるので、断線防止のためにチューブ１１を被覆せねばならず、工数及び原価高騰の一原因になっていて、改善が望まれている。
【０００５】
この発明は、このような従来の技術に着目してなされたものであり、サンバイザの回転軸中のハーネスの断線がチューブ無しに可能なることにより安価なサンバイザを提供するものである。
【０００６】
【課題を解決するための手段】
請求項１に記載の発明であるサンバイザは、遮光性を有すると共に電機部品を保持したサンバイザ本体と、該サンバイザ本体を回転自在に軸支してなる回転軸と、該回転軸を車体に支持してなるベース部と、電源に接続されてなるコネクタと、前記回転軸の中空部を介して前記コネクタ及び前記電機部品を電気的に接続してなるハーネスとより少なくとも構成されてなり、前記回転軸の開口部のこば面を曲面状に形成してなることを特徴とする。
【０００７】
請求項１に記載の発明によれば、曲面状に形成してなる回転軸の開口部のこば面により、ハーネスの断線のおそれがなく、該ハーネスを保護するチューブを必要としない分、安価になる。
【０００８】
請求項２に記載の発明であるサンバイザは、前記回転軸の開口部のこば面以外に、成形型の分割部を有することを特徴とする。
【０００９】
請求項２に記載の発明によれば、成形型の分割部に発生するバリなどが、回転軸の開口部のこば面以外なので、ハーネスのこすれが防止出来る。
【００１０】
【発明の実施の形態】
以下、この発明の好適な実施形態を図面に基づいて説明する。従来例と同じ乃至均等のものは同じ符号を用いて説明する。
【００１１】
図１及び図２は、この発明の一実施形態を示す図である。サンバイザ１５が、遮光性を有すると共に電機部品である照明装置２を保持したサンバイザ本体３と、該サンバイザ本体３を回転自在に軸支してなる回転軸１６と、該回転軸１６を車体５に図示しないビスなどで支持してなるベース部６と、図示しない電源に接続されてなるコネクタ７と、前記回転軸１６の中空部１６ａを介して前記コネクタ７及び前記照明装置２を電気的に接続してなるハーネス８とより少なくとも構成されてなる（例えば、特許文献１参照。）。符号９は前記照明装置２により照らされる鏡面、同１０は該鏡面９を開閉する蓋である。
【００１２】
前記回転軸１６の中空部１６ａの開口部１７のこば面１７ａを一様の曲面状Ｒに形成してなる。
【００１３】
このように構成されてなるサンバイザ１５によれば、回転軸１６の中空部１６ａの開口部１７のこば面１７ａを一様の曲面状Ｒに形成してなるので、曲面状に形成してなる回転軸１６の開口部１７のこば面１７ａにより、ハーネス８の断線のおそれがなく、該ハーネス８を保護するチューブを必要としない分、安価になる。
【００１４】
図３は、この発明の他の実施形態を示す図である。サンバイザ本体３を回転自在に軸支してなる回転軸１８は、中空部１８ａの開口部１９のこば面１９ａに、所定の平面２０を形成し、該平面２０と開口部１９とを一様の曲面状Ｒに形成してなる。
【００１５】
このように構成されてなるサンバイザ１５によれば、回転軸１８の中空部１８ａの開口部１９のこば面１９ａに、所定の平面２０を形成し、該平面２０と開口部１９とを一様の曲面状Ｒに形成してなるので、曲面状に形成してなる回転軸１８の開口部１９のこば面１９ａにより、ハーネス８の断線のおそれがなく、該ハーネス８を保護するチューブを必要としない分、安価になる。
【００１６】
図４は、この発明の更に他の実施形態を示す図である。サンバイザ本体３を回転自在に軸支してなる回転軸２１は、中空部２１ａの開口部２２のこば面２２ａ以外に、成形型２３，２４の分割部を有する。
【００１７】
このように構成されてなるサンバイザ１５によれば、成形型２３，２４の分割部に発生するバリなどが、回転軸２１の開口部２２のこば面２２ａ以外なので、ハーネス８のこすれが防止出来るので、曲面状に形成してなる回転軸２１の開口部２２のこば面２２ａにより、ハーネス８の断線のおそれがなく、該ハーネス８を保護するチューブを必要としない分、安価になる。
【００１８】
前記実施形態では、電機部品として照明装置のみを例にして説明したが、照明装置に限定されるものではなく、液晶テレビ、ラジオ、ワーニング装置など電源の電気を供給されて作動されるものの全てを含むものである。
【００１９】
【発明の効果】
請求項１に記載の発明によれば、曲面状に形成してなる回転軸の開口部のこば面により、ハーネスの断線のおそれがなく、該ハーネスを保護するチューブを必要としない分、安価になる。
【００２０】
請求項２に記載の発明によれば、成形型の分割部に発生するバリなどが、回転軸の開口部のこば面以外なので、ハーネスのこすれが防止出来る。
【図面の簡単な説明】
【図１】この発明の一実施形態に係るサンバイザを示す正面図。
【図２】図１の回転軸の拡大断面図。
【図３】この発明の他の実施形態に係る図２相当断面図。
【図４】この発明の更に他の実施形態に係る図２相当断面図。
【図５】従来例におけるサンバイザを示す正面図。
【符号の説明】
１、１５  サンバイザ
２  電機部品
３  サンバイザ本体
４，１６，１８，２１  回転軸
４ａ，１６ａ，１８ａ，２１ａ  回転軸の中空部
５  車体
６  ベース部
７  コネクタ
８  ハーネス
１７，１９，２２  開口部
１７ａ，１９ａ，２２ａ  開口部のこば面
２０  平面
Ｒ  曲面状
【図１】
2004284456.tif 000003
【図２】
2004284456.tif 000004
【図３】
2004284456.tif 000005
【図４】
2004284456.tif 000006
【図５】
2004284456.tif 000007